(57)【特許請求の範囲】
【請求項１】
複数の同軸ケーブルを所定のピッチで並列に並べて構成されるフラット型同軸ケーブルにおいて、
所定のサイズの内部導体の上に所定の外径の絶縁体、外部導体および外部被覆を順に形成した信号用同軸ケーブルと、
前記内部導体よりも大きなサイズの内部導体の上に前記絶縁体、外部導体および外部被覆とそれぞれ同じ外径の絶縁体、外部導体および外部被覆を順に形成した電源用同軸ケーブルを有することを特徴とするフラット型同軸ケーブル。
【請求項２】
前記信号用同軸ケーブルと前記電源用同軸ケーブルは、並列に並べられたその両面からテープが貼着されることによって一体化されていることを特徴とする請求項１項記載のフラット型同軸ケーブル。
【発明の詳細な説明】
【０００１】
【発明の属する技術分野】
本発明は、フラット型同軸ケーブルに関し、特に、パーソナルコンピュータ等の液晶ディスプレイの周辺に使用される配線材として好適なフラット型同軸ケーブルに関する。
【０００２】
【従来の技術】
ノート型パーソナルコンピュータ等に使用される液晶ディスプレイにおいては、従来、ＦＰＣ（フレキシブルプリント基板）が配線材として使用されてきたが、近年になってフラット型の極細同軸ケーブルが配線材に使用される傾向にある。
ディスプレイの高画質化と画像信号の高速化に伴う傾向であり、この分野での同軸ケーブルの需要は今後増大することが予想される。
【０００３】
【発明が解決しようとする課題】
しかし、従来のフラット型同軸ケーブルによると、その構成は信号用としてのものであり、従って、これを使用するときには、別に用意された電源線とともに、ＦＰＣ、ＰＣＢ（プリント基板）、あるいはコネクタ端子等にそれぞれ別個に接続しなければならず、このための作業に多大な手間を要していた。
【０００４】
同軸ケーブルを電源線として使用する考え方があるが、導体サイズが不充分であり、このため、必要とする電流値を確保するためには、数本のケーブルに分けて電流を供給する必要があり、シンプルさを要求されるディスプレイ用配線材としては複雑化し、現実的ではない。特に、この種の配線材にとっては、端末処理を一括して行えることが重要であり、この意味からも、数本の電源線の別配線は得策でない。
【０００５】
従って、本発明の目的は、信号用と電源用の同軸ケーブルを併せ備え、これらに対して一括した端末処理を行うことのできるフラット型同軸ケーブルを提供することにある。
【０００６】
【課題を解決するための手段】
本発明は、上記の目的を達成するため、複数の同軸ケーブルを並列に並べて構成されるフラット型同軸ケーブルにおいて、所定のサイズの内部導体の上に所定の外径の絶縁体、外部導体および外部被覆を順に形成した信号用同軸ケーブルと、前記内部導体よりも大きなサイズの内部導体の上に前記絶縁体、外部導体および外部被覆とそれぞれ同じ外径の絶縁体、外部導体および外部被覆を順に形成した電源用同軸ケーブルを有することを特徴とするフラット型同軸ケーブルを提供するものである。
【０００７】
信号用と電源用の同軸ケーブルを一体化する手段としては、押し出しによる一括被覆、あるいは並列に並べた両面からテープを貼着するなどがあり、特に、後者の構成は、テープを極薄のフィルム状に構成することができるので、フラット型の構成をコンパクト化するうえで好ましい。
【０００８】
本発明のフラット型同軸ケーブルに組み込まれる信号用と電源用の同軸ケーブルの数は、多くの場合、複数本ずつとなる。特に、信号用同軸ケーブルは、電源用同軸ケーブルよりも数多く配列されることが多い。
信号用同軸ケーブルの内部導体のサイズは、小型化の面から導体サイズ３０ＡＷＧ（外径０．２５５ｍｍ）より細径とするのが好ましい。
内部導体を覆う絶縁体も、小型化のためより薄いものが望まれるが、信号用同軸ケーブルにおいては、絶縁体の厚さは所望の電気特性を満足させるため所定の厚さ以上とする必要がある。
【０００９】
これに対し、電源用同軸ケーブルにおける絶縁体の厚さに関する制約は、信号用ケーブルよりも厳しいものではない。
本発明は、この点に着目し、絶縁体の外径はそのままに継続しながら、電源用同軸ケーブルの絶縁体を可能な限り薄くし、その分、内部導体サイズを大径化することによって、同軸線１本あたりの許容電流量を増やし、これによって、電源用同軸ケーブルの本数を減らし、フラット型同軸ケーブルの小型化を達成したものである。
【００１０】
【発明の実施の形態】
次に、本発明によるフラット型同軸ケーブルの実施の形態を説明する。
図１（ａ）において、１は信号用同軸ケーブルを示し、２は電源用同軸ケーブルを示す。これらのケーブル１と２は、所定のピッチＰのもとに配列されており、片面に接着層（図示せず）を有した透明な樹脂テープ３をその両面から貼着されることによってフラット型に一体化されている。
【００１１】
図１（ｂ）は、信号用同軸ケーブル１の断面を示す。
図において、４は外径０．０３ｍｍのすずめっき銅合金線を７本撚りした内部導体〔導体サイズ４０ＡＷＧ（外径０．０７９９ｍｍ）、ＡＷＧ：Ａｍｅｒｉｃａｎ  Ｗｉｒｅ  Ｇａｕｇｅ〕、５は内部導体４の上に形成された厚さ０．０８ｍｍのフッ素樹脂による絶縁体を示し、０．２５ｍｍの外径を有する。
【００１２】
６は外径が０．０３２ｍｍのすずめっき硬銅線を絶縁体５に横巻きすることによって形成された外部導体、７はこの外部導体６の上に形成された外部被覆を示し、外径が０．３４ｍｍとなるようにポエステルテーブを重ね巻きにすることによって構成されている。
【００１３】
図１（ｃ）は、電源用同軸ケーブル２の構成を示し、図中８は内部導体、９は絶縁体、１０は外部導体、および１１は外部被覆を示す。
内部導体８は、外径が０．０５ｍｍのすずめっき銅合金線の７本撚りによって形成されており、これにより信号用同軸ケーブル１の内部導体４よりも大きな３６ＡＷＧ（外径０．１２７ｍｍ）のサイズに構成されている。
【００１４】
フッ素樹脂の絶縁体９は、０．０５ｍｍの厚さに被覆され、これにより信号用同軸ケーブル１の絶縁体５と同じ０．２５ｍｍの外径を与えられている。
外部導体１０および外部被覆１１は、信号用同軸ケーブル１の外部導体６および外部被覆７と同じ材料を使用して同じ構成となるように設けられており、さらに、それぞれ外部導体６および外部被覆７と同じ外径を有している。
【００１５】
以上の構成の信号用同軸ケーブル１を３６本、電源用同軸ケーブル２を４本準備し、これらをＰ＝０．５ｍｍのもとに配列してこれにテープ３を貼着することによって、図１（ａ）に示される構成のフラット型同軸ケーブルを製作した。
【００１６】
図２は、本実施の形態によって得られたフラット型同軸ケーブルの端末処理を示したものである。レーザ光による外部被覆７および１１の所定の長さの剥離と外部導体６および１０の所定の長さの除去を行った後、グランドバー１２を取り付けたもので、信号用同軸ケーブル１および電源用同軸ケーブル２の一括した端末処理が可能であることが示されている。
【００１７】
以上の構成とした後、内部導体４が信号系の端子に接続されるとともに、内部導体８が電源系の端子に接続され、これによって所定の配線が完了する。信号用同軸ケーブルと電源線を別個に配線したり、あるいは信号用同軸ケーブルを電源線として利用するときのような繁雑な端末処理はなくなる。
【００１８】
また、信号用同軸ケーブル１と電源用同軸ケーブル２の絶縁体５と９、外部導体６と１０、および外部被覆７と１１をそれぞれ同じ外径に構成しているため、レーザ光などによる全ケーブルを対象とした一括した段剥ぎ作業を効率よく行うことができ、この面でも実際的な効果を得ることができる。外径の異なるケーブルに対する端末処理は、たとえ、それらが本実施形態のようにフラット化されていても容易ではない。なお、本実施の形態においては、電源用同軸ケーブル２を両端に位置させているが、これ以外の様々な配列が可能である。
【００１９】
【発明の効果】
以上説明したように、本発明によるフラット型同軸ケーブルによれば、電源用導体であり、従って、信号用同軸ケーブルの導体よりも大きなサイズを有する内部導体の上に、絶縁体、外部導体および外部被覆を信号用同軸ケーブルのそれらと同じ外径に形成して構成される電源用同軸ケーブルを信号用同軸ケーブルとともに並列に並べ、これらを一体化させることによってフラット型ケーブルとしているため、電源用同軸ケーブルの内部導体による電力供給機能と信号用同軸ケーブルによる通信機能を備え、さらに、絶縁体、外部導体および外部被覆の同サイズ化による端末処理の容易さを備えた実用性に富むフラット型同軸ケーブルを提供することができる。
【図面の簡単な説明】
【図１】本発明によるフラット型同軸ケーブルの実施の形態を示す説明図であり、（ａ）はその断面構造、（ｂ）は信号用同軸ケーブルの断面構造、（ｃ）は電源用同軸ケーブルの断面構造を示す。
【図２】図１のフラット型同軸ケーブルの端末処理の構造を示す説明図。
【符号の説明】
１      信号用同軸ケーブル
２            電源用同軸ケーブル
３            テープ
４、８            内部導体
５、９            絶縁体
６、１０            外部導体
７、１１            外部被覆
【図１】
0003603665.tif 000002
【図２】
0003603665.tif 000003